(57)【要約】      （修正有）【課題】複数の移動局と通信するＣＤＭＡ基地局で使用するためのＣＤＭＡモデムを提供する。【解決手段】移動局のそれぞれは、複数のエア・インターフェースのうち任意のものに従って通信する。モデムは、エア・インターフェース標準のすべてに対して共通な機能について、必要な程度までハードウェアで組み込む。残りの機能は、エア・インターフェース標準のうちいずれにも適合するよう、ソフトウェアで構成する。【選択図】図７
2010239658.tif 000002
【特許請求の範囲】
【請求項１】
IS-95-CDMA、UMTS UTRAまたはcdma2000 CDMAの無線方式で使用する送信機構成要素および受信機構成要素を備えるモデムであって、
前記送信機構成要素および受信機構成要素の、IS-95-CDMA、UMTS UTRAおよびcdma2000 CDMAのエア・インターフェース標準に共通な第１部分を形成するハードウェアの送信機構成要素および受信機構成要素である第１組の構成要素と、
前記送信機構成要素および受信機構成要素の、IS-95-CDMA、UMTS UTRAおよびcdma2000 CDMAのエア・インターフェース標準の特定のものに特有な第２部分を形成するソフトウェアで設定可能な送信機構成要素および受信機構成要素である第２組の構成要素と、を備え、
前記第２部分は、前記モデムが特定のエア・インターフェース標準のために使用されるとき該特定のエア・インターフェース標準に特有な機能を実行するよう設定され、前記モデムが他のエア・インターフェース標準のために使用されるとき再設定される、
モデム。
【請求項２】
前記送信機構成要素が、
エア・インターフェースを介して送信されるべきデータストリームを受け取る入力手段と、
予め決められたエア・インターフェース標準のうち任意のものに従って、前記データストリームに、周期的冗長検査（ＣＲＣ）ビットおよびテール・ビットを付加するビット挿入器と、
前記予め決められたエア・インターフェース標準のうち任意のものに従って、前記データストリームを畳み込んで符号化する畳み込み符号器と、
前記予め決められたエア・インターフェース標準のうち任意のものに従って、シンボルのリピートおよびシンボルのパンクチャーを実行するシンボル・ハンドラーと、
前記予め決められた複数のエア・インターフェース標準のうち任意のものに従って、前記データストリームをインターリーブするインターリーバーと、
前記予め決められた複数のエア・インターフェース標準のうち任意のものに従って、ロングコードを生成するロングコード・ジェネレータと、
前記ロングコードジェネレータに操作上接続され、前記予め決められた複数のエア・インターフェース標準のうち任意のものに従って、前記データストリームをロングコードでスクランブルするロングコード・スクランブラーと、
前記予め決められたエア・インターフェース標準のうち任意のものに従って、前記データストリームを変調する直交変調器と、
前記予め決められた複数のエア・インターフェース標準のうち任意のものに従って、ウォルシュ符号を生成するウォルシュ符号ジェネレータと、
前記ウォルシュ符号ジェネレータに操作上接続され、前記予め決められた複数のエア・インターフェース標準のうち任意のものに従って、前記データストリームをウォルシュ符号拡散するウォルシュ符号拡散器と、
前記予め決められた複数のエア・インターフェース標準のうち任意のものに従って、擬似雑音（ＰＮ）符号を生成するＰＮ符号ジェネレータと、
前記ＰＮ符号ジェネレータに操作上接続され、前記予め決められた複数のエア・インターフェース標準のうち任意のものに従って、前記データストリームをＰＮスクランブルするＰＮスクランブラーと、
を備える請求項１に記載のモデム。
【請求項３】
前記送信機構成要素が、前記エア・インターフェースを介して送信されるべきデータストリームを受け取る入力手段を備える請求項１に記載のモデム。
【請求項４】
前記送信機構成要素が、前記予め決められたエア・インターフェース標準のうち任意のものに従って、ＣＲＣビットおよびテール・ビットを前記データストリームに付加するビット挿入器を備える請求項２に記載のモデム。
【請求項５】
前記送信機構成要素が、前記予め決められたエア・インターフェース標準のうち任意のものに従って、前記データストリームを畳み込み符号化する畳み込み符号器を備える請求項２に記載のモデム。
【請求項６】
前記送信機構成要素が、前記予め決められたエア・インターフェース標準のうち任意のものに従って、シンボルのリピートおよびシンボルのパンクチャーを実行するシンボル・ハンドラーを備える請求項２に記載のモデム。
【請求項７】
前記送信機構成要素が、前記予め決められたエア・インターフェース標準のうち任意のものに従って、前記データストリームをインターリーブするインターリーバーを備える請求項２に記載のモデム。
【請求項８】
前記送信機構成要素が、
前記予め決められた複数のエア・インターフェース標準のうち任意のものに従ってロングコードを生成するロングコード・ジェネレータと、
前記ロングコードジェネレータに操作上接続され、前記予め決められた複数のエア・インターフェース標準のうち任意のものに従って前記データストリームをロングコードでスクランブルするロングコード・スクランブラーと、
を備える請求項２に記載のモデム。
【請求項９】
前記送信機構成要素が、前記予め決められたエア・インターフェース標準のうち任意のものに従って前記データストリームを変調する直交変調器を備える請求項２に記載のモデム。
【請求項１０】
前記送信機構成要素が、
前記予め決められた複数のエア・インターフェース標準のうち任意のものに従ってウォルシュ符号を生成するウォルシュ符号器と、
前記ウォルシュ符号ジェネレータに操作上接続され、前記予め決められた複数のエア・インターフェース標準のうち任意のものに従って、前記データストリームをウォルシュ符号で拡散するウォルシュ符号拡散器と、
を備える請求項２に記載のモデム。
【請求項１１】
前記送信機構成要素が、
前記予め決められたエア・インターフェース標準のうち任意のものに従って、ＰＮ符号を生成するＰＮ符号ジェネレータと、
前記ＰＮ符号ジェネレータに操作上接続され、前記予め決められた複数のエア・インターフェース標準のうち任意のものに従って、前記データストリームをＰＮスクランブルするＰＮスクランブラーと、
を備える請求項２に記載のモデム。
【請求項１２】
前記モデムがUMTS UTRAのエア・インターフェース標準と一緒に使用されるとき、前記ＰＮスクランブラーが影響しないようにする請求項１０に記載のモデム。
【請求項１３】
前記送信機構成要素が、前記cdma2000 CDMA およびUMTS UTRAのエア・インターフェース標準に従って前記データストリームを符号化するリード・ソロモン符号器を備え、該リード・ソロモン符号器が、前記IS-95 CDMAのエア・インターフェース標準と一緒にモデムが使用される時には機能しないようにする請求項２に記載のモデム。
【請求項１４】
前記送信機構成要素が、前記cdma2000 CDMA およびUMTS UTRAのエア・インターフェース標準に従ってデータストリームを符号化するターボ符号の符号器を備え、該ターボ符号の符号器が、前記IS-95 CDMAのエア・インターフェース標準と一緒にモデムが使用される時には機能しないようにする請求項２に記載のモデム。
【発明の詳細な説明】
【技術分野】
【０００１】
この発明は、ＣＤＭＡ（Code Division Multiple Access）無線方式に用いられるモデムに関し、より具体的には、ＣＤＭＡ無線方式のいくつかの異なる世代すなわち異なる標準のいずれにおいても機能することのできるモデムに関する。
【背景技術】
【０００２】
一般には、「ＣＤＭＡセルラー・モバイル・コミュニケーションズおよびネットワーク・セキュリティ（CDMA Cellular Mobile Communications and Network Security）、Dr.Man Young Rhee著、Prentice Hall 1998, ISBN 0-13-598418-1）」に参照されるように、ＣＤＭＡ無線方式は周知である。
【０００３】
現在、「TIA/EIA/IS-95」（以下、「IS-95」と呼ぶ）標準によって定められた「第二世代」のＣＤＭＡシステム（当該技術分野では「２Ｇ」システムと呼ばれることが多い）が広く使用されている。cdma2000およびUMTS UTRAシステムのようなＣＤＭＡシステムの第三世代は、IS-95システムの延長として取り入れられている。
【発明の概要】
【発明が解決しようとする課題】
【０００４】
これらの３つのシステムのそれぞれは、今まで、異なるエア・インタフェース標準について異なる端末または基地局の使用を必要とした。これは、消費者にとっては非常に不都合なことであり、サービス提供者にはよけいな運用費を課している。
【０００５】
したがって、IS-95、UMTS UTRAおよびcdma2000標準のそれぞれの下で機能することのできるＣＤＭＡ装置を提供する必要がある。
【課題を解決するための手段】
【０００６】
したがって、この発明の目的は、第三世代（cdma2000、UMTS UTRA）および１つの第二世代（IS-95）の標準に対応することのできる効率的なソフト・モデム・アーキテクチャーを提供することである。
【０００７】
この発明のさらなる目的は、広い範囲の使用にわたって構成可能なＣＤＭＡモデムを提供することである。
【０００８】
この発明の他の目的は、ソフトウェアによって定義可能なＣＤＭＡモデムを提供することである。
【０００９】
この発明の教示に従って、これらおよび他の目的を、異なるエア・インタフェース標準をそれぞれ意味する様々な環境で動作するよう構成可能なモデムにおいて、このシステムおよび方法により達成することができる。
【００１０】
この発明の実施形態は、ハードウェア組込型の構成要素としてcdma2000、UMTS UTRAおよびIS-95のエア・インタフェース標準に共通なモデムの構成要素を構成するステップと、ソフトウェアで構成可能な構成要素として、それらのエア・インタフェース標準のそれぞれに特有の構成要素を構成するステップと、を含むＣＤＭＡ通信方法を備える。この発明の他の実施形態は、それらの３つのエア・インタフェース標準に共通な機能を実行するためのハードウェア組込型の回路、およびそれら３つのエア・インターフェースのうちのいずれかに特有な機能を実行するためのソフトウェアで構成可能な要素を有するモデムを備える。
【図面の簡単な説明】
【００１１】
【図１】第３世代（cdma2000）のＣＤＭＡ方式で使用する、従来技術のフォワード・リンク送信機の機能ブロック図。
【図２】広帯域（UTMS UTRA）ＣＤＭＡ方式で使用する、従来技術のフォワード・リンク送信機の機能ブロック図。
【図３】第２世代（IS-95）ＣＤＭＡ方式で使用する、従来技術のフォワード・リンク送信機の機能ブロック図。
【図４】cdma2000のＣＤＭＡ方式で使用する、従来のフォワード・リンク送信機の機能フロック図。
【図５】UMTS UTRAのＣＤＭＡ方式で使用する、従来のリバース・リンク受信機の機能ブロック図。
【図６】IS-95のＣＤＭＡ方式で使用する、従来のリバース・リンク受信機の機能ブロック図。
【図７】cdma2000、UMTS UTRA、IS-95のＣＤＭＡ方式の共通モデムで使用する、この発明の送信機モデム部分のアーキテクチャのブロック図。
【図８】cdma2000、UMTS UTRA、IS-95のＣＤＭＡ方式の共通モデムで使用する、この発明の受信機モデム部分のアーキテクチャのブロック図。
【図９】図８のサーチャー・フィンガーの詳細を示す図。
【図１０】図８のレーキ受信機フィンガーの詳細を示す図。
【図１１】この発明のモデムの共通クロック生成を示す図。
【図１２】この発明のモデムの畳み込み符号器を示す図。
【図１３】ＣＤＭＡ方式で使用するＢＥＲ／ＦＥＲ検出器を示す図。
【図１４】この発明で使用するインターリーバー／デインターリーバーを示す図。
【図１５】この発明のウォルシュ符号ジェネレータを示す図。
【図１６】この発明のロングコードおよびゴールド符号のジェネレータを示す図。
【図１７】ショート・ゴールド符号、ＩＱ擬似雑音（ＰＮ）符号およびカサミ符号を生成する、この発明のジェネレータを示す図。
【図１８】この発明の電力制御部分を示す図。
【図１９】この発明のチャネル復号を示す図。
【図２０】この発明のシーケンスのデリピートを示す図。
【図２１】この発明の概念を示す図。
【発明を実施するための形態】
【００１２】
この発明は、添付の図面と一緒に、以下の典型的な実施形態の詳細な説明を参照することにより、より良く理解されよう。
【００１３】
この発明は、基地局で使用するモデムを提供し、このモデムは、様々な移動局で動作するのに適応することができる。モデムのそれぞれは、異なるエア・インターフェース標準に従って機能することができる（それぞれの移動局は、通常、単一のエア・インターフェース標準に制限される）。
【００１４】
この発明の基本的な動作原理は、共通モデム（すなわち、様々な標準のいずれかで使用できるモデム）を、（１）どの機能がすべての標準に共通で、どの機能がそうでないかを判断すること、（２）「共通」機能を実行するハードウェア要素を設けること、および（３）それぞれの標準に特定の「カスタム」機能を実行する、ソフトウェアで構成可能なモジュールを提供すること、により作ることができるということである。図２１は、この原理を示す。
【００１５】
この発明のある実施において、フォワード・リンク転送の「共通」機能は、
・ＣＲＣおよびテール・ビット（tail bit）の付加
・畳み込み符号化
・シンボルのリピート（繰り返し）およびパンクチャー（間引き）
・ブロック・インターリービング
・ロングコードのスクランブル
・ウォルシュ符号の拡散
・ＩＱフィルタリング
を含む。また、「カスタム」なフォワード・リンク機能は、
・リード・ソロモン(Reed-Solomon)符号化
・ターボ(Turbo)符号化
・リザーブ（予約）・ビットの付加
・チャネル利得
・電力制御ビットのパンクチャー
・ＩＱスクランブル
・スプラッター制御
を含む。リバース・リンクの「共通」機能は、
・フロントエンド・インターフェース
・サーチャー(Searchers)
・レーキ(RAKE)受信機のフィンガー
・レーキ受信機の合成器
・デインターリービング(De-interleaving)
・ビタビ(Viterbi)復号化
・ＣＲＣチェック
・ＢＥＲ測定
を含む。リバース・リンクの「カスタム」機能は、
・リード・ソロモン復号化
・ターボ復号化
・フィンガーおよびトラッキング制御
・ＰＮ符号の多項式制御
・電力制御判定
を含む。
【００１６】
フォワード・リンクおよびリバース・リンクの両方に共通な機能は、タイミング生成および符号生成（ロングコード、ゴールド符号(Gold Code)、カサミ符号(Kasami Code)、ＰＮ符号などのような）を含む。図１、２および３は、cdma2000、UMTS UTRAおよびIS-95方式のフォワード・リンク（移動機（モバイル）から基地局への上りリンク）送信機にそれぞれ使用される従来技術のモデムの機能ブロック図である。これらの図は、従来技術のモデムによって実行される機能を表しており、アーキテクチャー的な図でも回路図でもない。これらの構成は、動作モードのそれぞれについて異なるけれども、当該技術分野の当業者には、cdma2000、UMTS UTRAおよびIS-95標準に基づいて、多くの機能が共通であることがわかるであろう。
【００１７】
図４、５および６は、cdma2000、UMTS UTRAおよびIS-95システムそれぞれについての、リバース・リンク（基地局から移動機への下りリンク）受信機に用いられる従来技術のモデムの機能ブロック図（上記と同様に、アーキテクチャ的な図でも回路図でもない）である。ここでも、３つのシステム標準の間で多くの機能が共通である。３つのインタフェース標準の間で実質的に同じであるチャネルタイプは、
・３つの標準の同期チャネル
・３つの標準のページング・チャネル
・３つの標準のパイロット・チャネル
・３つの標準のアクセス・チャネル
・cdma2000の基本チャネルおよびIS-95のトラフィック・チャネル
・cdma2000の補助チャネルおよびUMTS UTRAの専用データチャネル
・cdma2000の制御チャネルおよびUMTS UTRAの専用制御チャネル
を含む。
【００１８】
この発明は、すべての３つの標準下で機能できる、「共通」モデムとして動作することのできるモデムを提供する。これは、共通性を決定し、共通部分をハードウェアで実現し、標準に特有な残りの部分をソフトウェアで実現し、モデムが特定の標準のために使用される時に標準に特有な部分を設定し（configure、構成ともいう）、そのモデムが他の標準のために使用される時に標準に特有な部分を再設定する（reconfigure、再構成するともいう）ことによって達成される。
【００１９】
共通要素は、ハードウェア実現を最大にするよう決定され、標準に特有な要素は、ソフトウェア機能を最小にして再構成を最大にするよう決定される。
【００２０】
さらにこの発明は、標準が、自身のそれぞれの機能について使用されていないとき、トラフィック・チャネルについて、異なる標準について共通のベースバンド・クロック・ジェネレータと、ページング、アクセス、同期および（または）制御チャネルを再構成する能力を備える。
【００２１】
このような共通モデムのフォワード・リンク送信機部分の高水準アーキテクチャーを図７に示し、リバース・リンク受信機部分を図８に示す。
【００２２】
一般的な共通モデム
トラフィックのための典型的なcdma2000フォワード・リンクは、基本チャネル、補助チャネルおよび制御チャネルから構成される。トラフィックについて典型的なIS-95フォワード・リンクは、基本チャネルから構成される。トラフィックについて典型的なUMTS UTRAのフォワード・リンクは、専用データチャネルおよび専用制御チャネルから構成される。
【００２３】
ハードウェアにおいてデータ経路および機能ブロックを実現するのが経済的である。これは、それらが、エア・インターフェースの３つの標準の間で、以下のチャネルタイプについて再使用されるからである。
【００２４】
・cdma2000の基本チャネルおよびIS-95の基本チャネル
・cdma2000の補助チャネルおよびUMTS UTRAの専用データチャネル
・cdma2000の制御チャネルおよびUMTS UTRAの専用制御チャネル
・cdma2000、UMTS UTRAおよびIS-95のベースバンド変調器。
【００２５】
共通モデムは、３つの標準で発生するユーザー・データ・レートのうちいずれにおいても動作することができる。異なるチップ・レートおよびデータ・レートのベースバンド・クロック生成の実施形態を図１１に示す。必要な多くのクロック・レートは、少数のクロック・レートに対して実行される連続的な分割によって得られる。
【００２６】
エア・インタフェース標準、チップ・レートおよびユーザー・データ・レートに従い、共通モデムは、モデム機能ブロックについて多くの構成可能なパラメーターを持つ。これらのパラメーターを、設計者のオプションで、モデムにハードウェアで組み込んで選択することもできるし、またはモデムのレジスタを変更することによりプログラム可能なようにすることもできる。
【００２７】
ベースバンドのフォワード・リンク送信機（図７）
すべての、または大部分のインタフェース標準に共通であり、ハードウェア実現に自身を導く図７の要素は、
・ターボ符号の符号器１０７
・リード・ソロモン符号器１００（IS-95ではバイパスされる）
・データ・インターフェース７０２
・ＣＲＣおよびテール・ビットの付加１０４
・畳み込み符号器１０６
・シンボルのリピート（繰り返し）およびパンクチャー１０８
・ＢＰＳＫ／ＱＰＳＫ変調器１１４
・ウォルシュ符号の拡散１２０
・ＩＱ  ＰＮスクランブラー１２２
ソフトウェア制御下では、多項式７０４および７０８はレジスタに提供されるのが望ましい。
【００２８】
当該技術分野の者には、エア・インタフェース標準、チャネルタイプおよびユーザー・データレートに従い、異なる選択可能なクロックレートで動くチャネル符号器（リード・ソロモン符号器１００、畳み込み符号器１０６）を設計して、構成可能な符号多項式、パリティー数および符号レートを使用することができる。そのようなチャネル符号器のブロック図を図１２に示す。
【００２９】
図７の残りの要素は、異なる標準の間で必要な変更を簡単に行うことができるソフトウェアで実現するのがより効率的である。
【００３０】
インターリーバー（Interleaver）１１０の実施形態を図１４に示す。これは、参照テーブル、ソフトウェア制御されたアドレス・ジェネレータおよびバッファとして実現される。エア・インターフェース標準、チャネルタイプおよびユーザー・データ・レートに従って、インターリーバーは、
・３つの標準のいずれにも使用されるインターリーブ・メモリ
・構成可能な読み出し／書き込みアドレス・ジェネレータ
・シーケンスおよびシンボル・リピート（１０８）の構成可能な値
・パンクチャー・マトリクス（１０８）の構成可能な値
を提供する。
【００３１】
ロングコード・ジェネレータ（これはまた、ゴールド符号にも使用される）を図１６に示す。図１６で示されるハードウェアは、理想的にはソフトウェア制御される。クロック・レートは、エアーインタフェースおよびチップ・レートに従って選択可能でありうる。ソフトウェアは、構成可能な初期状態およびマスクと、構成可能な多項式を提供することができる。
【００３２】
ＰＮ符号生成を図１７に示す。この示されるハードウェアは、理想的にはソフトウェア制御される。
【００３３】
ＤＳ（直接拡散）およびＭＣ（マルチキャリア）のデマルチプレクサ７２０は、それぞれのキャリアについて提供される、ウォルシュBPSK/QPSK変調、ウォルシュ拡散およびＩ／Ｑ  ＰＮスクランブルと共に、直接拡散およびマルチキャリア方式の両方に対応するのに使用される。
【００３４】
ソフトウェアは、ブロック１１４のBPSKおよびQPSK変調のいずれに対しても構成されるベースバンド・シンボル・マッピングを規定することができる。
【００３５】
ベースバンドのリバース・リンク受信機（図８）
従来のモデムのデータ・インターフェース４０２は、この発明ではハードウェアにおいて実現される。従来のモデムのサーチャー４０６は、この発明では、図９に示されるサーチャー・フィンガー８０２で置きかえられる。ハードウェアにおいて、バッファリング、遅延、逆スクランブルおよび逆拡散のような機能の大部分を設けることは経済的であるが、残りの、制御、符号の提供、結果の解釈のような機能は、ソフトウェア解決に適している。
【００３６】
従来のモデムのレーキ・フィンガー４０４は、この発明では、図１０に示されるレーキ・フィンガー８０３で置き換えられる。合成逆拡散（コンプレックス・デスプレッディング；Complex Despreading）、ウォルシュ逆拡散（デスプレッディング）、ＰＮ符号の乗算および位相訂正（Phase Correction）のようなレーキ・フィンガー８０３の機能のうちのいくつかはハードウェア解決に適しているが、ＰＮ符号判定は、ソフトウェア解決に適している。ハードウェアまたはソフトウェアのどちらで高速アダマール変換（Fast Hadamard Transform）を実行するかは、設計上の選択である。
【００３７】
サーチャー・フィンガーおよびレーキ・フィンガーを設定するについて、フィンガー・データのフェッチ機能８０１は、ソフトウェアで実行されるのが一番良い。ＳＩＲ測定８０４、フィンガー制御８０６、トラッキング制御８０８および合成器４０８は、ソフトウェア解決に向いている。マルチキャリアのアプリケーションについて提供される、マルチキャリア・マルチプレクサ８２８は、ハードウェアで行われるのが一番良い。
【００３８】
電力制御ビット検出（Power Control Bit Detection）４２２を図１８に示す。これは、ソフトウェア解決に適している。
【００３９】
シーケンスおよびシンボルのデリピート（Derepeat）４１０のハードウェア解決を図２０に示す。
【００４０】
デインターリーバー４１２を、図１４の参照テーブルおよびソフトウェア制御されたアドレス・ジェネレータにより実現することができ、これはインターリーバー１１０に類似する。
【００４１】
それらのユニットが、ソフトウェアまたはハードウェアのいずれにあるかにかかわらず、ＣＲＣ検出器８１０および８１２への多項式、およびリード・ソロモン復号器４１６への多項式の備えは、ソフトウェアで達成することができる。
【００４２】
ＢＥＲおよびＦＥＲ判定を図１３に示す。ブロック８２０からそれらに入力されるパラメータは、ソフトウェアによって提供されるのが一番良い。ＣＣ符号器８１４および８１６は、ＢＥＲおよびＦＥＲの必要に応じて、受信された信号を再度符号化し、それを、マルチプレクサ８１８を介してＢＥＲ４２６に提供する。
【００４３】
電力制御４２４を図１８に示す。
【００４４】
図７の受信機と同様に、異なる標準についてのタイミング信号は、図１１の共通クロック・ジェネレータから得ることができ、符号は、図１６に示される符号ジェネレータから得ることができる。
【００４５】
こうして、この発明は、前述の説明から明らかなように、前述の目的を効率的に達成することがわかるであろう。特に、この発明は、複数のエア・インターフェース標準と一緒に動作するのに、その送信機および受信の構成要素が選択可能かつ構成可能であるモデムを提供する。当該技術分野の当業者には、図７および図８で示される構成が、IS-95、UMTS UTRAおよびcdma2000 CDMA方式と動作するのに構成可能な受信機および送信機の構成要素を備えるモデム・アーキテクチャーを提供することが明らかであろう。
【００４６】
この発明の範囲から離れることなく、上記の構造において、および前述の操作シーケンスで、変更を行うことができることが理解されよう。上記の説明に含まれ、図面において示されるすべての事柄は、限定を意図するものではなく、例示するためのものである。
【符号の説明】
【００４７】
１１０  インターリーバー
７１０  ロングコード・ジェネレータ
１１２  ロングコード・スクランブラー
７１２  ウォルシュ符号ジェネレータ
７１８  ＰＮ符号ジェネレータ
８０２  サーチャー・フィンガー
８０３  レーキ・フィンガー
４１０  デリピート
４１２  デインターリーバー
【図１】
2010239658.tif 000003
【図２】
2010239658.tif 000004
【図３】
2010239658.tif 000005
【図４】
2010239658.tif 000006
【図５】
2010239658.tif 000007
【図６】
2010239658.tif 000008
【図７】
2010239658.tif 000009
【図８】
2010239658.tif 000010
【図９】
2010239658.tif 000011
【図１０】
2010239658.tif 000012
【図１１】
2010239658.tif 000013
【図１２】
2010239658.tif 000014
【図１３】
2010239658.tif 000015
【図１４】
2010239658.tif 000016
【図１５】
2010239658.tif 000017
【図１６】
2010239658.tif 000018
【図１７】
2010239658.tif 000019
【図１８】
2010239658.tif 000020
【図１９】
2010239658.tif 000021
【図２０】
2010239658.tif 000022
【図２１】
2010239658.tif 000023